(57)【要約】【課題】  図書の返却処理が可能な図書の自動返却機を提供する。【解決手段】  ＩＣタグを担持する図書を投入する返却口１１１と、該返却口１１１に連続して設けられた傾斜面１２０と、該傾斜面１２０を滑り落ちる図書Ａの前記ＩＣタグからその図書Ａの情報を読みとるＩＣリーダライタ１３０と、図書に殺菌用の紫外線を照射する殺菌ランプ１５０と、前記傾斜面１２０から滑り落ちた図書Ａを収容する図書収容箱１４０を有することを特徴としている。【選択図】    図１
0003167933.tif 000002
【実用新案登録請求の範囲】
【請求項１】
ＩＣタグを担持する図書を投入する返却口と、該返却口に連続して設けられた傾斜面と、該傾斜面を滑り落ちる図書の前記ＩＣタグからその図書の情報を読みとるＩＣリーダライタとを有することを特徴とする図書の自動返却機。
【請求項２】
さらに、図書に殺菌用の紫外線を照射する殺菌ランプを備えたことを特徴とする請求項１に記載の図書の自動返却機。
【請求項３】
前記ＩＣリーダライタが、前記傾斜面に埋設されていることを特徴とする請求項１又は２に記載の図書の自動返却機。
【請求項４】
前記傾斜面から滑り落ちた図書を収容する図書収容箱を有し、該図書収容箱の内周面に反射材を貼付したことを特徴とする請求項１から３のいずれかに記載の図書の自動返却機。
【請求項５】
前記図書収容箱が二重底構造で、上底板が下底板から浮き上がった状態で保持され、図書の重みで徐々に上底板が下底板に向かって下降する構成となっていることを特徴とする請求項４に記載の図書の自動返却機。
【考案の詳細な説明】
【技術分野】
【０００１】
本考案は図書館などで貸し出した図書を返却するとき、返却処理を自動的に行う図書の自動返却機に関する。
【背景技術】
【０００２】
図書館の図書を管理する方法として、各図書にＩＣタグを貼付し、これに図書の題名、著作者名、出版社、貸し出し履歴等のデータを記録し、ＩＣリーダライタで各図書のデータを読みとり、新しいデータを書き込むという方法がある（たとえば、特許文献１）。
【０００３】
このような管理システムの図書館で借りた図書を返却する場合、図書館が開館している場合は、返却用のカウンタ上に図書を置いていた。カウンタ上に返却された図書は、その後、図書館の職員が取り上げ、図書に付いているＩＣタグに対してＩＣリーダライタで読みとりと書込を行い、ＩＣタグとパソコンのデータベースの双方に新情報が書き込まれ、最後に図書を書棚の所定の位置に戻して返却処理が完了していた。
【０００４】
一方、図書館が閉館している場合は、図書館に設けられた図書の返却ポストが利用されている。これは、郵便ポストの投函口に似た返却口が図書館の入口近傍の壁に設けられたもので、返却する図書を、この投函口から投入して返却するものである。投函口に投入された図書は、投函口から延びる傾斜面を滑り落ち、傾斜面の終端に配置された図書収容箱に投入される。収容箱に投入された図書は、図書館が開館された後、職員により収容箱から取り上げられ、図書に付いているＩＣタグをＩＣリーダライタで読みとり、以後、上記と同様に処理されることとなる。
【０００５】
また、特許文献２では、図書の返却率を向上させるために、貸出し図書の管理を各図書に取り付けたＩＣタグに情報を記録して行い、図書の返却を郵便ポスト或いは郵便局を介して行うことができるようにした管理システムを提案している。
【先行技術文献】
【特許文献】
【０００６】
【特許文献１】特開２００６−３１６７５号公報
【特許文献２】特開２００４−３４８５８５号公報
【考案の概要】
【考案が解決しようとする課題】
【０００７】
しかしながら、上記の返却処理は、いずれにしてもＩＣリーダライタの扱いは人手に頼るものであり、一方、コスト低減の要請から、自動的に返却処理ができるものが要請されていた。
【０００８】
本考案は、斯かる実情に鑑み、自動的に図書の返却処理をすることができる図書の自動返却機を提供しようとするものである。
【課題を解決するための手段】
【０００９】
上記の目的を達成するために本考案の図書の自動返却機は、ＩＣタグを担持する図書を投入する返却口と、該返却口に連続して設けられた傾斜面と、該傾斜面を滑り落ちる図書の前記ＩＣタグからその図書の情報を読みとるＩＣリーダライタとを有することを特徴としている。
【００１０】
図書に殺菌用の紫外線を照射する殺菌ランプを設ける構成としたり、前記ＩＣリーダライタが、前記傾斜面に埋設されている構成としたり、前記傾斜面から滑り落ちた図書を収容する図書収容箱を有し、該図書収容箱の内周面に反射材を貼付した構成としたり、前記図書収容箱が二重底構造で、上底板が下底板から浮き上がった状態で保持され、図書の重みで徐々に上底板が下底板に向かって下降する構成とすることができる。
【００１１】
上記手段によれば、図書の返却口から投入された図書は、返却口に続く傾斜面を滑り落ちる。傾斜面にはＩＣリーダライタが設けられており、滑り落ちる図書が担持しているＩＣタグの情報を読みとって、その情報をパソコン等に送る。パソコンは送られた情報を図書館のデータベースに書き込み、ＩＣリーダライタは更新された情報をＩＣタグに書き込むことで、返却処理がされる。傾斜面を滑り落ちる図書は、傾斜面の下端に設けられた図書収容箱に収容される。図書収容箱に収容された図書には、紫外線殺菌ランプにより紫外線が照射されて殺菌処理がされる。
【考案の効果】
【００１２】
本考案の図書の自動返却機によれば、図書館などにおいて、図書が返却されると、その情報が図書館のデータベースと図書のＩＣタグとに書き込まれるまでの返却処理を人手を使わずに行うことができ、かつ、図書の殺菌処理も行えるという優れた効果を奏する。
【図面の簡単な説明】
【００１３】
【図１】本考案の図書の自動返却機の実施例１を示す図で、（ａ）は内部構造を示す側面図、（ｂ）は正面図である。
【図２】本考案の図書の自動返却機の実施例２を示す側面図である。
【考案を実施するための形態】
【００１４】
以下、本考案の実施の形態を添付図面を参照して説明する。
【実施例１】
【００１５】
図１は考案の実施例１を示すもので、（ａ）は内部構造を記載した側面図、（ｂ）は正面図である。本考案の図書の自動返却機１００は、全体として箱を伏せたような形状の本体１１０に収容されている。
【００１６】
本体１１０は、正面側が高く、背面側が低く、上面は正面から背面に向かって下る勾配がついている。本体１１０の正面側には、返却口１１１があり、返却口１１１に続いて本体１１０内に延びる傾斜面１２０がある。本実施例では、傾斜面１２０は、多数のローラを平行に並べたローラーコンベアが使用されている。そして傾斜面１２０の下方のほぼ中央に、ＩＣリーダライタ１３０が配置されている。
【００１７】
図書Ａには、その表か裏の表紙のどこかに図示しないがＩＣタグが貼付されており、図書Ａが返却口１１１から投入され、傾斜面１２０上を滑り落ちる間に、ＩＣリーダライタ１３０により、情報が読みとられ、かつ、新情報が書き込まれる。
【００１８】
すなわち、ＩＣタグには、図書Ａの題名、著者名、出版社、出版年度等の図書Ａを特定する事項と、貸し出し履歴、返却履歴、予約状況等が記載されており、ＩＣリーダライタ１３０でこの情報を読みとることができる。ＩＣリーダライタ１３０は、読みとったデータを、パソコンに入力し、パソコンから図書館のデータベースにある図書Ａの情報が更新され、同時に図書ＡのＩＣタグの情報も更新することになる。なお、最終の返却日は、図書Ａが本考案の図書の自動返却機１００に投入された日で、これは、パソコンのカレンダーから情報を取得することになる。
【００１９】
傾斜面１２０を滑り落ちた図書Ａは、傾斜面１２０の終端から落下し、落下点に配置されている図書収容箱１４０内に収容される。図書収容箱１４０は、キャスター付きで移動自在であり、本体１１０の背面側には、図示しないが扉があり、ここを開閉することで、図書収容箱１４０を本体１１０から出し入れできるようになっている。
なお、本体１１０の背面側は扉を設けずに、全て開放した構造にしてもよい。
【００２０】
図書収容箱１４０は、二重底になっており、上底板１４１が弾性体１４２などによって下底板１４３から離間した状態に支持されている。上底板１４１は、図書Ａが一冊も載っていない状態であれば、図書収容箱１４０の上の開口面近くまで上昇しているが、図書Ａの数が徐々に増えるにしたがって、その重さにより段々と降下して下底板１４３に近づく。弾性体１４２としては、たとえば、コイルスプリングを使用することができる。
【００２１】
このような二重底構造にすることで、落下する図書Ａが受ける衝撃を和らげ、図書Ａの損傷を防止することができる。
【００２２】
なお、図示の実施例では上底板１４１を下から支えているが、図書収容箱１４０の上の開口面から吊り下げてもよい。要するに、上底板１４１と下底板１４３とが離間していて、図書Ａの重さで徐々に上底板１４１が下降する構成であればよい。
【００２３】
図書Ａは、人の手に触れているので、人の汗や脂などと共に細菌が図書Ａに付着する可能性がある。そのため本考案の実施例では、本体１１０の天井面１１２に、紫外線を照射する殺菌ランプ１５０を設けている。この殺菌ランプ１５０により、傾斜面１２０を滑り落ちて図書収容箱１４０に収容された図書Ａを照射し、図書Ａの表面を殺菌するようにしている。
【００２４】
このとき、上述したように図書収容箱１４０が二重底になっているので、新しく図書収容箱１４０に落下した図書Ａは、いつも図書収容箱１４０の上の開口面近くのほぼ同じ高さに維持されることになり、殺菌ランプ１５０からの照射光を近くからほぼ一定の強さで受けることができるようになる。
【００２５】
通常、図書Ａは、傾斜面１２０を滑り落ちると、表裏の表紙のいずれか一方が上になり、他方が下になった状態で図書収容箱１４０の上底板１４１上に載る。図書Ａは上底板１４１に接した面以外の５面を露出しているので、この状態の図書Ａに紫外線を照射すると、５面の殺菌が可能になる。ただし、殺菌ランプ１５０は上にあるので、図書Ａの上側に出ている表紙には強く照射するが、図書Ａの紙が積層された側面への照射は弱くなる。一方、細菌の付着の可能性の高いのは、表紙よりも図書Ａの紙が積層した面の内、特に小口である。読む人は、この小口に指を押し当て、図書に反りを加えてぱらぱらとページをめくるためである。
【００２６】
そこで、本考案では、図書収容箱１４０の４つの側面全体に反射材を貼付することが望ましい。殺菌ランプ１５０からの紫外線がこれらの反射材に反射され、反射光により小口を照射できるからである。
【００２７】
図２は、本考案の実施例２である。この実施例における図書の自動返却機２００は、図書館のカウンタＢ上に置いて使用されるタイプである。自動返却機２００は、斜めに傾斜した正面板２１０と、この正面板２１０を支える左右両側の側板２１３と、左右の側板間に設けられた傾斜面２２０とを有する。
【００２８】
正面板２１０は、四角形で、中央近くに図書Ａの返却を受け付ける返却口２１１が開いている。傾斜面２２０にはＩＣリーダライタ２３０が埋設されている。返却口２１１から投入された図書Ａは、傾斜面２２０を滑り落ち、その間に図書Ａに担持されているＩＣタグからＩＣリーダライタ２３０でその図書Ａの情報が読みとられる。読みとった情報は、無線、有線のいずれかの方法で図示しないパソコンに入力され、図書館のデータベースに書き込まれる。傾斜面２２０の終端に達した図書Ａは、キャスター付きの図書収容箱１４０内に収容される。殺菌ランプ２５０は、図書収容箱１４０近くの適当な場所に固定するか、あるいは電気スタンドのように移動式にしてもよい。
【符号の説明】
【００２９】
１００    自動返却機
１１０    本体
１１１    返却口
１２０    傾斜面
１３０    ＩＣリーダライタ
１４０    図書収容箱
１４１    上底板
１４２    弾性体
１４３    下底板
１５０    殺菌ランプ
２００    自動返却機
２１１    返却口
２２０    傾斜面
２３０    ＩＣリーダライタ
２５０    殺菌ランプ
Ａ        図書
【図１】
0003167933.tif 000003
【図２】
0003167933.tif 000004